(57)【要約】【課題】メーカーでの最初の電源投入時に動作仕様を決定し、一度決定した動作仕様はユーザーが変更できないようにした照明装置を提供する。【解決手段】マイコン１及びＥＥＰＲＯＭなどのバックアップメモリ２と、前記マイコン１により所定の動作仕様で制御される負荷（図示しない蛍光灯や常夜灯及び後述のブザーなど）と、前記マイコン１に設定信号を与える操作スイッチ３、４とを備え、前記マイコン１は複数の動作仕様を持ち、そのいずれかを実動に供する照明装置である。実動に供される動作仕様は、最初に電源（図示しないが図中のＶ＋に印加される）を投入する際に前記操作スイッチ３、４の開閉態様に応じて決定される。【選択図】  図１
2004247097.tif 000002
【特許請求の範囲】
【請求項１】
マイコン及びバックアップメモリと、前記マイコンにより所定の動作仕様で制御される負荷と、前記マイコンに設定信号を与える操作スイッチとを備え、前記マイコンは複数の動作仕様を持ち、そのいずれかを実動に供する照明装置であって、実動に供される動作仕様は、最初に電源を投入する際に前記操作スイッチの開閉態様に応じて決定されるものである照明装置。
【請求項２】
請求項１において、最初に電源を投入する際に、バックアップメモリの第一アドレスに特定データを書き込むとともに、操作スイッチの開閉態様に応じて第二アドレスにその動作仕様に対応するデータを書き込み、次回以降に電源を投入する際に、前記バックアップメモリの第一アドレスのデータが前記特定データであることを確認した後、第二アドレスに書き込まれているデータに対応する動作仕様に設定される照明装置。
【発明の詳細な説明】
【０００１】
【発明の属する技術分野】
本発明は、例えば複数の点灯モード動作仕様、又は／及び、複数のアンサーバック音（ブザー音）動作仕様を持ち、そのいずれかが実動に供される照明装置に関する。
【０００２】
【従来の技術】
蛍光灯と常夜灯をもつリモコン式の照明装置では例えば、「全光点灯−調光点灯−常夜灯点灯−消灯」という点灯モード動作仕様と、「全光点灯−調光点灯−消灯」という点灯モード動作仕様の二通りが考えられる。また、リモコン送信器により送信されたリモコン信号を受けた時に発せられるアンサーバック音（ブザー音）にも「ピー」などという単純な電子音動作仕様の他に、ブザーなどの発音手段に音階を持たせるメロディ動作仕様の二通りが考えられる。そうすると、それらの組み合わせにより四通りの動作仕様が考えられるが、シンプル化のためにはリモコン送信器や照明装置にそのような動作仕様を切り替えるだけの専用操作スイッチを付加したくない。そのような場合、別の目的のために備わっている操作スイッチ（設定ボタン）を兼用使用すると、それらのボタンの同時押しや押している時間の長短などによる非直感的な操作をユーザーに依存しなければならなくなり、ユーザーによる設定は大変に困難になる。そこで、メーカーでの製造時にいずれの動作仕様で実動させるかを決定しておくのが適切である。その場合、必要とする動作仕様を決定する手法として一般的に、マイコンの動作仕様を決定するためにマイコンの入力端子の状態（Ｈ／Ｌ）にて設定する手法がある。この手法では、マイコンを搭載した基板にジャンパー抵抗を実装するか否かで、前記入力端子の状態（Ｈ／Ｌ）を設定するのが一般的である。また、場合によってはディップスイッチを実装して設定する手法もある。
【０００３】
【発明が解決しようとする課題】
しかしながら、ジャンパー抵抗の実装の有無で動作仕様を設定する手法では、基板への部品実装時に異種商品毎に実装設備のプログラムを切り替える必要があり、商品の外観やハード面での回路が同等でも、それぞれ誤りなく実装管理しなくてはならない煩雑さが伴う。また、ディップスイッチを用いると高価になる上、組立作業中などに誤ってスイッチに触れて切り替わってしまうおそれもある。そこで、本発明は、メーカーでの最初の電源投入時に動作仕様を決定し、一度決定した動作仕様はユーザーが変更できないようにした照明装置を提供するものである。
【０００４】
【課題を解決するための手段】
本発明を要約すると、マイコン及びバックアップメモリと、前記マイコンにより所定の動作仕様で制御される負荷と、前記マイコンに設定信号を与える操作スイッチとを備え、前記マイコンは複数の動作仕様を持ち、そのいずれかを実動に供する照明装置であって、実動に供される動作仕様は、最初に電源を投入する際に前記操作スイッチの開閉態様に応じて決定されるものである照明装置である。さらに詳述すると、最初に電源を投入する際に、バックアップメモリの第一アドレスに特定データを書き込むとともに、操作スイッチの開閉態様に応じて第二アドレスにその動作仕様に対応するデータを書き込み、次回以降に電源を投入する際に、前記バックアップメモリの第一アドレスのデータが前記特定データであることを確認した後、第二アドレスに書き込まれているデータに対応する動作仕様に設定される照明装置である。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図１の実施形態はリモコン式の照明装置の要部を示し、マイコン１及びＥＥＰＲＯＭなどのバックアップメモリ２と、前記マイコン１により所定の動作仕様で制御される負荷（図示しない蛍光灯や常夜灯及び後述のブザーなど）と、前記マイコン１に設定信号を与える操作スイッチ３、４とを備え、前記マイコン１は複数の動作仕様を持ち、そのいずれかを実動に供する照明装置であって、実動に供される動作仕様は、最初に電源（図示しないが図中のＶ＋に印加される）を投入する際に前記操作スイッチ３、４の開閉態様に応じて決定されるものである。
【０００７】
さらに、図２も参照して詳述すれば、最初に電源を投入する際に、バックアップメモリ２の第一アドレス（アドレスＡ）に特定データ（５Ａ５ＡＨ）を書き込む（ステップＳ６）とともに、操作スイッチ３、４の開閉態様（ＯＮ／ＯＦＦ）に応じて第二アドレス（アドレスＢ）にその動作仕様に対応するデータを書き込み（ステップＳ８）、次回以降に電源を投入する際に、前記バックアップメモリ２の第一アドレス（アドレスＡ）のデータが前記特定データ（５Ａ５ＡＨ）であることを確認した（ステップＳ４−ＹＥＳ）後、第二アドレス（アドレスＢ）に書き込まれているデータに対応する動作仕様に設定される（ステップＳ９）。
【０００８】
さらに他の構成を述べると、図外のリモコン送信器からのリモコン信号Ｒがリモコン受光部５で受光されるとそのリモコン信号のコードが復元されて、マイコン１に入力される。マイコン１は複数の動作仕様に対応する動作プログラムをストアしている。バックアップメモリ２は商用交流電源の停電時など電源が供給されていない時の記憶手段として機能する。例えば、リモコン送信器からリモコン信号Ｒを受けた時にユーザーに対してアンサーバック音を発するためにブザー６が設けられるが、このブザー６の音を入り切りする設定スイッチとしての操作スイッチ３による設定を記憶するなど、停電により消失すると不都合な記憶を行っているが、本発明ではさらに重要な役割を担う。なお、操作スイッチ４はリモコン送信器がなくても、全光点灯と消灯を繰り返し可能な補助スイッチとして機能する。
【０００９】
本照明装置では、リモコン送信器からリモコン信号Ｒを受けた時の点灯モード動作仕様として、「全光点灯−調光点灯−常夜灯点灯−消灯」（４段切替）という点灯モード動作仕様と、「全光点灯−調光点灯−消灯」（３段切替）という二通りがある。これらの動作はマイコン１から出力される全光点灯信号、調光点灯信号、常夜灯点灯信号の有無により図外のインバータなどの点灯回路を介して蛍光灯や常夜灯（豆球）が点灯制御されることにより成される。また、リモコン信号Ｒの受信時に発せられるアンサーバック音（ブザー音）にも「ピー」という単純な電子音動作仕様の他に、ブザーなどの発音手段６に音階を持たせるメロディ動作仕様の二通りがある。そうすると、全部で四通りの動作仕様が存在するため、実動に供する動作仕様を決定する図２の動作フロー（イニシャライズルーチン）も参照して説明する。
【００１０】
メーカーにおける検査時に最初に電源を投入するとリセットスタートが開始され、アドレスＡの読み込み回数としてＮ＝０がセットされる（ステップＳ１）。次に、バックアップメモリ（ＥＥＰＲＯＭ）２の記憶データがマイコン１に読み込まれ（ステップＳ２）、さらに、アドレスＡの読み込み回数としてＮ＝Ｎ＋１にされ、読み込み回数Ｎが１回分増加する（ステップＳ３）。そして、アドレスＡに記憶されているデータが’５Ａ５ＡＨ’かどうかをマイコン１が判断する（ステップＳ４）。すなわち、マイコン１のプログラム内のパスワードデータ（５Ａ５ＡＨ）と照合される。最初の電源投入のため、バックアップメモリ（ＥＥＰＲＯＭ）２には何も記憶されていないから当然、ＮＯとなる。次に、アドレスＡの読み込み回数Ｎ＝３かどうか（ステップＳ５）でＮＯのため、ステップＳ２に戻り、ステップＳ５で、アドレスＡの読み込み回数がＮ＝３になるまで繰り返される。なお、この繰り返しはあくまで再確認のためのものである。
【００１１】
そして、ステップＳ５にてアドレスＡの読み込み回数がＮ＝３になると、ステップＳ６にてアドレスＡに特定データ（５Ａ５ＡＨ）が書き込まれる。次にステップＳ７にて、操作スイッチ３、４の開閉態様すなわち、常開型の操作スイッチ３、４がそれぞれ押されているかどうか（マイコン１の端子７、８のＨ／Ｌ状態）を読み込む。すなわち、検査工程では、どの動作仕様として出荷するかに対応して操作スイッチ３、４の押圧または非押圧が各々選択されている。なお、これも念のため３回繰り返される。こうして、前述の四通りの動作仕様のうちの一つが選択されるが、端子７、８のＨ／Ｌ状態に応じて表１の動作仕様がそれぞれ決定される。
【表１】
2004247097.tif 000003
【００１２】
そして、ステップＳ８にて、バックアップメモリ（ＥＥＰＲＯＭ）２のアドレスＢに動作仕様に対応するデータが表２のように書き込まれる。
【表２】
2004247097.tif 000004
【００１３】
次に、アドレスＢのデータがマイコン１に読み込まれて、そのデータに対応して動作仕様が表３のように設定される（ステップＳ９）。
【表３】
2004247097.tif 000005
ステップＳ１０とステップＳ１１は端子７、８の機能を通常状態に戻すステップであり、ステップＳ１０にて端子７を音入切設定機能とし、ステップＳ１１にて端子８を補助スイッチ機能としてから、メインルーチンに入る。かくして、メーカーにおける出荷時には、バックアップメモリ（ＥＥＰＲＯＭ）２のアドレスＡには特定データ（５Ａ５ＡＨ）が記憶され、アドレスＢには特定の動作仕様に対応するデータが記憶されている。
【００１４】
そうすると、ユーザーが本照明装置に電源投入して使用開始すると、ステップＳ４においてＹＥＳとなるため、ステップＳ９にてバックアップメモリ（ＥＥＰＲＯＭ）２のアドレスＢのデータが読み込まれ、そのデータに従って動作仕様が設定される。すなわち、そのデータに対応して表３に示した動作仕様となり、ユーザーはその動作仕様を変更することができない。
【００１５】
本実施形態によれば、最初の電源投入時に動作仕様が決定され、一度決定した動作仕様は変更できないようにした照明装置を提供でき、ユーザーに煩雑な操作を強いることがない。
【図面の簡単な説明】
【図１】回路ブロック図
【図２】同動作を示すフロー図
【符号の説明】
１  マイコン
２  バックアップメモリ
３、４  操作スイッチ
【図１】
2004247097.tif 000006
【図２】
2004247097.tif 000007